(57)【要約】    【課題】  従来のピストン式インキ吸引機構にあっては、筆記作業中や携帯時に、意図せず操作つまみを回転させてしまうと、吸引ピストンが前進してしまい、その結果、インキ受入れ室中のインキがペン先を介して大量に押し出され、紙面やポケットの内部を著しく汚してしまう問題があった。    【解決手段】  インキ収容室の前方に開口部が形成され、その開口部にはペン先が挿着され、また、インキ収容室にはピストン部材が前後動可能に配置された塗布具であって、そのピストン部材の移動を前記インキ収容室の後方に配置された回転部材の回転動作によってなすと共に、その回転部材とピストン部材を連結・非連結可能にした塗布具。【選択図】  図１
2009178998.tif 000002
【特許請求の範囲】
【請求項１】
インキ収容室の前方に開口部が形成され、その開口部にはペン先が挿着され、また、インキ収容室にはピストン部材が前後動可能に配置された塗布具であって、そのピストン部材の移動を前記インキ収容室の後方に配置された回転部材の回転動作によってなすと共に、その回転部材とピストン部材を連結・非連結可能にしたことを特徴とする塗布具。
【請求項２】
前記回転部材とピストン部材の連結・非連結を、互いの部材を相対的に離隔・接近せしめることによってなしたことを特徴とする請求項１記載の塗布具。
【発明の詳細な説明】
【技術分野】
【０００１】
本発明は、インキ収容室の前方に開口部が形成され、その開口部にはペン先が挿着され、また、インキ収容室にはピストン部材が前後動可能に配置された塗布具に関する。
【背景技術】
【０００２】
インキ排出孔を前方端に備えたインキ受入れ室を有し、そのインキ受入れ室中には、ピストンロッドを備えた吸引ピストンが配設してあり、この吸引ピストンが、ハウジング部分に形成されて吸引ピストンのピストンロッドと螺合する第１のねじ域を介して、軸方向に往復運動されうるようにした、万年筆用のピストン機構部であって、そのピストンロッドが、テレスコピックに互に係合する２つのピストンロッド部分から成り、そのうち一方のピストンロッド部分が吸引ピストンを担持し、他のピストンロッド部分がその第１のねじ域と螺合すること、及びそのピストンロッドの両方のピストンロッド部分が第２のねじ域によって互に螺合され、第２のねじ域が第１のねじ域のねじの方向と逆のねじの方向をもつ万年筆用ピストン機構部がある。
即ち、操作つまみによって吸引ピストンを軸方向に往復運動させることにより、インキをインキ受入れ室中吸入するインキ吸引機構である。
【特許文献１】特開平７−２９０８７３号公報
【発明の開示】
【発明が解決しようとする課題】
【０００３】
しかしながら、上記のインキ吸引機構にあっては、筆記作業中や携帯時に、意図せず操作つまみを回転させてしまうと、吸引ピストンが前進してしまい、その結果、インキ受入れ室中のインキがペン先を介して大量に押し出され、紙面やポケットの内部を著しく汚してしまう場合があった。
【課題を解決するための手段】
【０００４】
本発明は、インキ収容室の前方に開口部が形成され、その開口部にはペン先が挿着され、また、インキ収容室にはピストン部材が前後動可能に配置された塗布具であって、そのピストン部材の移動を前記インキ収容室の後方に配置された回転部材の回転動作によってなすと共に、その回転部材とピストン部材を連結・非連結可能にしたことを要旨とする。
【発明の効果】
【０００５】
本発明は、インキ収容室の前方に開口部が形成され、その開口部にはペン先が挿着され、また、インキ収容室にはピストン部材が前後動可能に配置された塗布具であって、そのピストン部材の移動を前記インキ収容室の後方に配置された回転部材の回転動作によってなすと共に、その回転部材とピストン部材を連結・非連結可能にしたので、意図しない回転動作によってインキがペン先から押し出されるといった問題を極力防止することができる。
【発明を実施するための最良の形態】
【０００６】
図１乃至４に第１例を示し説明する。図１において、本発明の筆記具は大きく分類すると３つの部分で構成される。筆記を行うペン先部と、インキを貯蔵する軸筒部、インキの吸入を行うインキ吸入部である。
【０００７】
ペン先部は、ペン先１、そのペン先１に当設するペン芯２、そのペン芯２に内挿されるコア３、並びに、前記ペン先１とペン芯２を内挿するペン先ホルダー４、そのペン先ホルダー４の外周溝４ａに当設しているＯリング５、並びに、そのペン先ホルダー４及びＯリング５を内挿する首軸６などから構成されている。そして、その首軸６の前端部と中間部には、外観の装飾を目的とする飾りリング７と飾りリング８が当設している。
【０００８】
軸筒部は、軸方向に貫通する穴を有する軸筒９であり、その軸筒９の前端には前記ペン先部の首軸６が内挿されている。この軸筒９は、内部にインキを貯留するインキ収容室９ｂになっている。
【０００９】
インキ吸入部は、軸筒部の後部に装着されている。そのインキ吸入部は、ピストン１０とそのピストン１０の前方に囲繞されたピストンシール１１、並びに、軸筒９の中間部に固定された回転止め１２、その回転止め１２の後部に配置された回転子１３、その回転子１３の前方外周に配置された回転子ホルダー１４、並びに、回転子１３に対して回転可能なカム１７、そのカム１７の後方に位置する弾發部材のばね１６、前記カム１７と係合するカム受け１５、並びに、前記カム１７を固定したつまみ１８とで構成されている。
前記ピストン１０は、大径の凸部１０ａと、その大径凸部１０ａの後方に形成された断面が小判状小径部１０ｂとから構成されている。前記大径凸部１０ａには、弾性部材からなるピストンシール１１が被覆されており、そのピストンシール１１の外周は軸筒９の内周面に摺接している。また、前記小径部１０ｂの外周の円弧部分には、雄ねじ１０ｃが形成されている。そして、その小判状小径部１０ｂは、ピストン回転止め１２に内挿されると共に、雄ねじ１０ｃが回転子１３の内面に形成されている雌ねじに螺合している。
前記ピストン回転止め１２の後部には、外周につば１２ａが形成されており、そのつば１２ａの前端は前記軸筒９の段差に当接している。また、つば１２ａの後端部は、前記回転子ホルダー１４の前端部に当接しており、軸方向、並びに、回転方向への動作が規制されている。さらに、ピストン回転止め１２には小判状の穴１２ｂが形成されており、ピストン１０の小径部１０ｂが内挿されている。これによって、ピストン１０の軸筒９に対する相対的な回転が阻止されている。
前記ピストン回転止め１２の後端部に当接する回転子１３は、円筒状で外周に段差１３ａが形成されており、内周にはピストン１０の雄ねじ１０ｃと螺合する雌ねじが形成されている。
前記回転子ホルダー１４は、円筒で外周に雄ねじ１４ａを有しており、内周に段差１４ｂを有している。前記外周の雄ねじ１４ａは軸筒９に螺合固定されており、内周の段差１４ｂは回転子１３の円筒外周を挟着することにより、回転子１３の軸方向への移動を規制している。
前記カム受け１５には、外周につば１５ｂが形成されており、内周には前記回転子１３の後方部が固定されている。また、カム受け１５の前端部には、山型状のテーパ１５ａが対向した２個所に形成されている。
前記ばね１６はカム１７とカム受け１５との間に張設された圧縮ばねであって、つまみ１８を軸筒９に付勢している。
前記カム１７の前方は、外周につば１７ａが形成されており、そのつば１７ａの後端面には山型状のテーパ１７ｂが複数形成されている。また、カム１７の内周には、前記回転子１３よりも大きな貫通穴が形成されており、前記外周のつば１７ａにはつまみ１８の前方内周面が固定されている。
【００１０】
次に、本発明の軸筒９（インキ収容室９ｂ）内へのインキ吸入方法について具体的に説明する。図１の状態でつまみ１８を把持回転させても、空回りするだけである。これは、つまみ１８に当接するカム１７のテーパ１７ｂが、カム受け１５のテーパ１５ａに接触（係合）せず、即ち、つまみ１８とピストン１０は非連結状態にあり、つまみ１８の回転が、カム受け１５に固定されている回転子１３に伝わらない為である。
インキのインキ収容室９ｂへの吸入は、インキ壺などにペン先部を中間部まで没入させる。この没入させた状態でつまみ１８をペン先部と反対の方向、即ち、後方に向けて引っ張る。次いで、その引っ張った状態を維持しながらつまみ１８を反時計方向に回転させる。つまみ１８を引くことにより、つまみ１８に固定されたカム１７のテーパ１７ｂが対向するカム受け１５のテーパ１５ａに当接・係合し、即ち、つまみ１８とピストン１０が連結した状態になり、カム受け１７に固定された回転子１３が回転するようになる。そして、その回転子１３の回転は螺合されたピストン１０をペン先部の方向に前進させる。
そのピストン１０は、前記つまみ１８の回転によって、ピストンシール１１が軸筒９の段差９ａに当接するまで前進する（図４参照）。
ここで、つまみ１８を時計方向に回転させるとピストン１０は後退を始める。このピストン１０の後退動作によって、軸筒９（インキ収容室）内が負圧となり、この負圧作用によって、インキ壺内のインキがペン先部を介して軸筒９（インキ収容室）内に引き込まれ充填される。
前記ピストン１０は、突起１０ａがピストン回転止め１２の前端部に当接するまで後退する。ピストン１０の最後退位置で前記つまみ１８から手を離すと、ばね１６の反撥により、そのつまみ１８は軸筒９の方向に引き戻され、軸筒９の後端面に当接する。この時、前記カム１７のテーパ１７ｂとカム受け１５のテーパ１５ａとの係合も解除され、即ち、非連結状態となり、再び、つまみ１８ピストン１０に対して空転することになる。
尚、前記ばね１６が仮に無くても、つまみ１８を軸筒９に当接させるまで押し込む動作を行えば、インキの吸入操作は可能である。また、インキ吸入の際、つまみ１８の回転を、最初に反時計方向、次に時計方向としたが、ピストン１０と回転子１３のねじの方向を逆にすれば、最初に時計方向、次に反時計方向に回転させることによって吸入が可能となる。
【００１１】
図５乃至図８に第２例を示し説明する。この第２例においても、３つの部分で構成される。筆記を行うペン先部と、インキを貯蔵する軸筒部、インキの吸入を行うインキ吸入部である。
ペン先部は前記第１例と構成が同様であるので、その説明は割愛する。インキ吸入部は、ピストン２０と、そのピストン２０の前方に被覆されたピストンシール２１、並びに、軸筒１９の内面に固定された回転止め２２、その回転止め２２の配置された回転子２３、その回転子２３の外周に配置され、且つ、軸筒１９に固定された回転子ホルダー２４と、前記回転子２３の後方に配置されたつまみ受け２５、並びに、そのつまみ受け２５の軸筒１９からの脱落を防止するつまみ受け止め２６と、前記回転子ホルダー２４とつまみ受け２５との間に圧縮された状態で張設されたばね２７、並びに、つまみ受け２５に被服・固定されたつまみ２８で構成されている。
【００１２】
前記ピストン２０は、大径の凸部２０ａと、その大径凸部２０ａの後方に形成された断面が小判状小径部２０ｂから構成されている。前記大径凸部２０ａを弾性部材からなるピストンシール２１が被覆されており、そのピストンシール２１の外周は軸筒１９の内周面に摺接している。また、前記小径部２０ｂの外周の円弧部分には雄ねじ２０ｃが形成されている。そして、その小判状小径部２０ｂは、ピストン回転止め２２に内挿されると共に、雄ねじ２０ｃが回転子２３の内面に形成されている雌ねじに螺合している。
前記ピストン回転止め２２の後部には、外周につば２２ａが形成されており、そのつば２２ａの前端は前記筒軸１９の段差に当接している。また、つば２２ａの後端部は、前記回転子ホルダー２４の前端部に当接しており、軸方向、並びに、回転方向への動作が規制されている。さらに、ピストン回転止め２２には、小判状の穴２２ｂが形成されており、ピストン２０の小判状小径部２０ｂが内挿されている。これによって、ピストン２０の軸筒１９に対する相対的な回転が阻止されている。
前記回転子ホルダー２４は円筒で外周には雄ねじ２４ａが形成されており、内周には段差２４ｂが形成されている。その外周の雄ねじ２４ａは軸筒１９に螺合・固定されており、内周の段差２４ｂは前記回転子２３の円筒外周を挟着することにより、回転子２３の軸方向への移動を規制している。
前記ピストン回転止め２２の後端部に接する回転子２３は、円筒状で外周に段差が形成されており、内周には前記ピストン２０の雄ねじ２０ｃと螺合する雌ねじが形成されている。さらに、回転子２３の後端部には、山型状のテーパ２３ａが複数形成されている。
前記回転子ホルダー２４は円筒で外周に雄ねじ２４ａが形成されており、内周には段差２４ｂが形成されている。前記外周の雄ねじ２４ａは、軸筒１９に螺合・固定されており、内周の段差２４ｂは前記回転子２３の円筒外周を固定することによって、その回転子２３の軸方向への移動を規制している。
さらに、その回転子２３のテーパ２３ａの後方には、つまみ受け２５が配置されている。そのつまみ受け２５の前端には、回転子２３のテーパ２３ａと係脱するテーパ２５ａが形成されており、また、つまみ受け２５の前方の外周にはつば２５ｂが形成されている。そして、つまみ受け２５の後部には、つまみ２８が被覆されている。
さらに、つまみ受け２５のつば２５ｂには、つまみ受け２５の軸筒１９からの脱落を防止するつまみ受け止め２６が係合しているが、そのつまみ受け止め２６は軸筒１９の内側に固定されている。
【００１３】
第２例の軸筒９（インキ収容室）内へのインキ吸入方法について具体的に説明する。図５の状態でつまみ２８を把持回転させても、空回りするだけである。
これは，つまみ２８に当接するつまみ受け２５のテーパ２５ａが、回転子２３のテーパ２３ａに接触（係合）せず、即ち、つまみ２８とピストン２０は非連結状態にあり、つまみ２８の回転が、回転子２３に伝わらない為である。
インキのインキ収容室１９ｂへの吸入は、インキ壺などにペン先部を中間部まで没入させる。この没入させた状態でつまみ２８をペン先部と同じ方向、即ち、つまみ２８を押し込む。次いで、その押しこんだ状態を維持しながらつまみ２８を反時計方向に回転させる。つまみ２８を押し込むことにより、つまみ２８に当設されたつまみ受け２５のテーパ２５ａが対向する回転子２３のテーパ２３ａに当接・係合し、即ち、つまみ２８とピストン２０が連結した状態になり、回転子２３が回転するようになる。そして、その回転子２３の回転は螺合されたピストン２０をペン先部の方向に前進させる。
そのピストン２０はつまみ２８の回転によって、ピストンシール２１が軸筒１９の段差１９ａに当接するまで前進する（図８参照）。
ここで、つまみ２８を時計方向に回転させるとピストン２０は後退を始める。このピストン２０の後退動作によって、軸筒１９（インキ収容室）内が負圧となり、この負圧作用によって、インキ壺内のインキがペン先部を介して軸筒９（インキ収容室）内に引き込まれ充填される。
ピストン２０は大径凸部２０ａがピストン回転止め２２の前端部に当接するまで後退する。ピストン２０の最後退位置で前記つまみ２８から手を離すと、ばね２７の反撥によりつまみ２８は後退し、再び、軸筒１９の後端部との間に隙間毛形成される。この時、前記回転子２３のテーパ２３ａとつまみ受け２５のテーパ２５ａとの係合も解除され、即ち、非連結状態となり、再び、つまみ２８はピストン２０に対して空転することになる。
以上、第１及び第２例においては、つまみを引っ張る、或いは、押し込むことにより回転を伝える機構を示したが、テーパの凹凸による係合に限られることはなく、ゴムや摩擦の大きな粗面などの接触、コレットチャックの噛み込みによる伝達なども考えられる。
【００１４】
図９乃至図１１に第３例を示し説明する。この第３例においても、３つの部分で構成される。筆記を行うペン先部と、インキを貯蔵する軸筒部、インキの吸入を行うインキ吸入部である。
ペン先部は第１例と構成が同様であるので、その説明は割愛する。インキ吸入部は、ピストン３０、そのピストン３０の前方に被覆されたピストンシール３１と、並びに、軸筒２９の内面に固定された回転止め３２、その回転止め３２の配置された回転子３３、その回転子３３の外周に配置され、且つ、軸筒２９に固定された回転子ホルダー３４、並びに、前記回転子３３の後部に軸支された連結ピン３５、その連結ピン３５に回転自在に軸支されたシャフト３６、並びに、シャフト３６の後部に回転自在に取り付けられた摺動部材３７、その摺動部材３７に固定されたつまみ３８、そのつまみ３８の後端部を閉鎖する蓋体３９で構成されている。
【００１５】
前記ピストン３０は、大径の凸部３０ａと、その大径凸部３０ａの後方に形成された断面が小判状小径部３０ｂから構成されている。前記大径凸部３０ａを弾性部材からなるピストンシール３１が被覆されており、そのピストンシール３１の外周は軸筒２９の内周面に摺接している。また、前記小径部３０ｂの外周の円弧部分には、雄ねじ３０ｃが形成されている。また、その小判状小径部３０ｂは、ピストン回転止め３２に内挿されると共に、雄ねじ３０ｃが回転子３３の内面に形成されている雌ねじに螺合している。
前記ピストン回転止め３２の後部には、外周につば３２ａが形成されており、そのつば３２ａの前端は軸筒２９の段差に当設している。また、つば３２ａの後端部は、回転子ホルダー３４の前端部に当接しており、軸方向、並びに、回転方向への動作が規制されている。さらに、ピストン回転止め３２には、小判状の穴３２ｂが形成されており、ピストン３０の小判状小径部３０ｂが内挿されている。これによって、ピストン３０の軸筒２９に対する相対的な回転が阻止されている。
前記回転子ホルダー３４は円筒で外周に雄ねじ３４ａが形成されており、内周には段差３４ｂが形成されている。その外周の雄ねじ３４ａは、軸筒２９に螺合・固定されており、内周の段差３４ｂは回転子３３の円筒外周を挟着することにより、回転子３３の軸方向の移動を規制している。
前記ピストン回転止め３２の後端部に接する回転子３３は、円筒状で外周に段差が形成されており、内周には前記ピストン３０の雄ねじ３０ｃと螺合する雌ねじが形成されている。さらに、回転子３３の後端部には、シャフト３６を軸支する貫通穴が形成されている。
その回転子３３の貫通穴には、片端につばを有する連結ピン３５が軸支されており、前記摺動部材３７も軸支している。つまり、連結ピン３５は、回転子３３とシャフト３６とを連結しているのである。また、連結ピン３５のつばと反対側の端面には、かしめ加工が施されており、前記回転子３３の貫通穴からの抜けが防止されている。
また、回転子３３に連結されたシャフト３６の後端部には、つば３６ａが形成されており、円筒状の摺動部材３７が摺動および回転が可能なように内挿されている。前記シャフト３６に配置された摺動部材３７は、つまみ３８に固定されており、そのつまみ３８の後端開口部には、蓋体３９が固定されている。
【００１６】
第３例の軸筒２９（インキ収容室）内へのインキ吸入方法について具体的に説明する。図９の状態でつまみ３８を把持し回転させても、つまみ３８に固定された摺動部材３７とシャフト３６が滑り、空回りするだけである。
インキのインキ収容室内への吸入は、インキ壺などにペン先部を中間部まで没入させる。この没入させた状態でつまみ３８をペン先３７と反対方向に、即ち、引き抜く方向に引っ張る。この引っ張った状態を維持しながらつまみ３８に固定された筒状の摺動部材３７が、シャフト３６のつばに当接するまで引き出す（図１０参照）。
つまみ３８が引き出されると、回転子３３とシャフト３６を連結する連結ピン３５が露出する。この連結ピン３５を中心として、前記つまみ３８をペン先部の軸芯に対して垂直になるように折り曲げる。
この折り曲げたつまみ３８を、ペン先の軸芯に対して時計方向に回転させるとピストン３０は、ピストンシール３１が軸筒２９の段差２９ａに当接するまで前進する。ここで、前記第１例や２例と同様に、つまみ３８を反時計方向に回転させるとピストン３０が後退しペン先部からインキがインキ収容室内に吸入され充填される。
充填終了後、折り曲げたつまみ３８をペン先の軸芯と一致するように戻し、次いで、つまみ３８を軸筒２９の後端部に当接するまで前進させる。
【００１７】
図１２に第４例を示し説明する。前記第１例と同様な構成は、その説明を割愛する。インキ吸入部は、軸筒４０の後端から露出する部分の構成、および、回転子４１の形状が異なっている。
回転子４１の後端筒部の前方部と後方部には、２つの凹状の溝が対向した位置に形成されている。前方に形成された凹溝４１ａには、つまみ４２の筒内面に設けられた突起４２ａが嵌まり、つまみ４２がペン先部と同軸に回転し、かつ、回転子４１からの脱落が防止されている。また、回転子４１の後部に形成されている凹溝４１ｂにはリング状の弾性部材４３が嵌め込まれている。
一方、前記つまみ４２の筒部側面には貫通穴４２ｂが形成されており、この貫通穴には、ボタン４４を内挿したボタン押さえ４５が固定されている。
【００１８】
第４例のインキ吸入方法について具体的に説明する。図１２の状態でつまみ４２を把持し回転させても、空回りするだけである。つまみ４２のボタン４４と回転子４１とに滑りが発生しているためである。
インキの吸入は、インキ壺などにペン先部を没入した状態でボタン４４を押し込み、次いで、つまみ４２を反時計方向に回転させる。この操作、つまり、ボタン４４を押し込むことにより、ボタン４４の先端が回転子４１の弾性体４３に接触する。この接触により、弾性部材４３の摩擦でつまみ４２の回転が回転子４１に伝達され、この回転の伝達によってピストン４６が前後動し、インキの充填がなされる。
【図面の簡単な説明】
【００１９】
【図１】本発明の第１例を示す断面図。
【図２】カム受け１５の詳細図。
【図３】カム１７の詳細図。
【図４】ピストン１０の動作を示す断面図。
【図５】本発明の第２例を示す断面図。
【図６】回転子２３の詳細図。
【図７】つまみ受け２５の詳細図。
【図８】ピストン２０の動作を示す断面図。
【図９】本発明の第３例を示す断面図。
【図１０】インキ吸入の過程を示す断面図。
【図１１】つまみ３８を折り曲げた過程を示す断面図。
【図１２】本発明の第４例を示す断面図。
【符号の説明】
【００２０】
１      ペン先
２      ペン芯
３      コア
４      ペン先ホルダー
４ａ    外周溝
５      Ｏリング
６      首軸
７      前リング
８      後リング
９      軸筒
９ａ    段差
９ｂ    インキ収容室
１０    ピストン
１０ａ  大径凸部
１０ｂ  小判状小径部
１０ｃ  雄ねじ
１１    ピストンシール
１２    ピストン回転止め
１２ａ  つば
１２ｂ  小判状穴
１３    回転子
１３ａ  段差
１４    回転子ホルダー
１４ａ  雄ねじ
１４ｂ  段差
１５    カム受け
１５ａ  テーパ
１５ｂ  つば
１６    ばね
１７    カム
１７ａ  つば
１７ｂ  テーパ
１８    つまみ
１９    軸筒
１９ａ  段差
１９ｂ  インキ収容室
２０    ピストン
２０ａ  大径凸部
２０ｂ  小判状小径部
２０ｃ  雄ねじ
２１    ピストンシール
２２    ピストン回転止め
２２ａ  つば
２２ｂ  小判状穴
２３    回転子
２３ａ  テーパ
２４    回転子ホルダー
２４ａ  雄ねじ
２４ｂ  段差
２５    つまみ受け
２５ａ  テーパ
２５ｂ  つば
２６    つまみ受け止め
２７    ばね
２８    つまみ
２９    軸筒
２９ａ    段差
３０    ピストン
３０ａ  大径凸部
３０ｂ  小判状小径部
３０ｃ  雄ねじ
３１    ピストンシール
３２    ピストン回転止め
３２ａ  つば
３２ｂ  小判状穴
３３    回転子
３４    回転子ホルダー
３４ａ  雄ねじ
３４ｂ  段差
３５    連結ピン
３６    シャフト
３６ａ  つば
３７    摺動部材
３８    つまみ
３９    蓋体
４０    軸筒
４１    回転子
４１ａ  凹溝
４１ｂ  凹溝
４２    つまみ
４２ａ  突起
４２ｂ  貫通穴
４３    弾性部材
４４    ボタン
４５    ボタン押さえ
４６    ピストン
【図１】
2009178998.tif 000003
【図２】
2009178998.tif 000004
【図３】
2009178998.tif 000005
【図４】
2009178998.tif 000006
【図５】
2009178998.tif 000007
【図６】
2009178998.tif 000008
【図７】
2009178998.tif 000009
【図８】
2009178998.tif 000010
【図９】
2009178998.tif 000011
【図１０】
2009178998.tif 000012
【図１１】
2009178998.tif 000013
【図１２】
2009178998.tif 000014